(57)【要約】【課題】タンク内の中温水を中温水配管へ導出する際に、低温水の混入を防止する。【解決手段】湯水を貯えるタンク１１と、タンクの中間部に形成された中温水取出口１１ｃに取り付けられ、タンク１１内に貯えられた中温水を中温水配管２９へ導出する中温水導出部材１００と、備え、中温水導出部材１００は、タンク１１内に貯えられた低温水の中温水配管２９への流入を防止するガイド１１０を有している。【選択図】図２
2016080221.tif 000002
【特許請求の範囲】
【請求項１】
湯水を貯えるタンク（１１）と、
前記タンクの中間部に形成された中温水取出口（１１ｃ）に取り付けられ、前記タンク内に貯えられた中温水を中温水配管（２９）へ導出する中温水導出部材（１００）と、備え、
前記中温水導出部材は、前記タンク内に貯えられた低温水の前記中温水配管への流入を防止するガイド（１１０）を有することを特徴とする給湯装置。
【請求項２】
前記ガイドは、上向きに開口部（１１０ａ〜１１０ｄ）が形成されていることを特徴とする請求項１に記載の給湯装置。
【請求項３】
前記中温水導出部材と前記ガイドは一体で形成されていることを特徴とする請求項１または２に記載の給湯装置。
【請求項４】
前記開口部の面積は、中温水配管２９の断面積以上となっていることを特徴とする請求項１ないし３のいずれか１つに記載の給湯装置。
【請求項５】
前記タンクに貯えられた湯水を沸き上げるヒートポンプユニット（１３）を備えたことを特徴とする請求項１ないし４のいずれか１つに記載の給湯装置。
【発明の詳細な説明】
【技術分野】
【０００１】
本発明は、湯水を貯えるタンクを有する給湯装置に関するものである。
【背景技術】
【０００２】
従来、加熱した湯を貯える貯湯タンクと、この貯湯タンクの上部に設けられた給湯管と、貯湯タンクの下部に設けられた給水管と、貯湯タンクの湯をポンプにより循環し、外側に設けた熱交換器を介して、浴槽の追い炊きを行う間接加熱回路とを備えた電気給湯器において、間接加熱回路の湯取出し口を貯湯タンクの上部に設けるとともに、間接加熱回路の湯戻し口を貯湯タンク内で上向きに突出パイプにより形成したものがある（例えば、特許文献１参照）。
【先行技術文献】
【特許文献】
【０００３】
【特許文献１】特開２００８−６３３４６号公報
【発明の概要】
【発明が解決しようとする課題】
【０００４】
ところで、台所、洗面所、風呂などへの給湯を行う給湯装置において、タンクに貯えられた湯水を、ヒートポンプユニットにより沸き上げるようにしたものがある。このような給湯装置では、タンクの下部には低温水、タンクの中間部には中温水、タンクの上部には高温水が貯えられている。そして、手洗いやシャワーで使用される温水は、タンクの中間部の中温水を取り出して使用される。すなわち、手洗いやシャワーで使用される温水は高温水と低温水を混合させて作るのではなく、タンクの中間部の中温水を取り出して使用することで、高温水の使用量を抑制し給湯効率を向上させている。
【０００５】
このため、タンクの中間部に中温水を取り出すための中温水取出口が設けられており、この中温水取出口に中温水導出部材が装着され、この中温水導出部材に接続された中温水配管を通って中温水が取り出されるようになっている。
【０００６】
しかし、このような給湯装置において、中温水導出部材を介してタンク内から中温水を取り出す際に、中温水にタンク下部の低温水が混入してしまい、中温水の温度が低下してしまうといった現象が生じる。すなわち、中温水が中温水導出部材へ流れ込むと、タンクの下部に貯えられている低温水も中温水導出部材へ向かうようにタンク内の側壁に沿って上昇し、中温水と一緒に中温水導出部材へ流れ込んでしまい、中温水の温度が低下してしまう。このように、中温水の温度が低下してしまうと、タンクの上部に貯えられている高温水を使用して中温水の温度を上昇させる必要が生じるため、給湯効率（ＡＦＰ：Ａｎｎｕａｌ  Ｐｅｒｆｏｒｍａｎｃｅ  Ｆａｃｔｏｒ）が低下してしまうといった問題がある。
【０００７】
なお、上記特許文献１に記載された装置は、間接加熱回路の湯戻し口を貯湯タンク内で上向きに突出パイプにより形成したものであり、上記したように中温水を取り出す際に、中温水にタンク下部の低温水が混入してしまうといった問題を解決することでできない。
【０００８】
本発明は上記問題に鑑みたもので、タンク内の中温水を中温水配管へ導出する際に、低温水の混入を防止することを目的とする。
【課題を解決するための手段】
【０００９】
上記目的を達成するため、請求項１に記載の発明は、湯水を貯えるタンク（１１）と、タンクの中間部に形成された中温水取出口（１１ｃ）に取り付けられ、タンク内に貯えられた中温水を中温水配管（２９）へ導出する中温水導出部材（１００）と、備え、中温水導出部材は、タンク内に貯えられた低温水の中温水配管への流入を防止するガイド（１１０）を有することを特徴としている。
【００１０】
このような構成によれば、中温水導出部材は、タンク内に貯えられた低温水の中温水配管への流入を防止するガイドを有しているので、タンク内の中温水を中温水配管へ導出する際に、低温水の混入を防止することができる。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の第１実施形態に係る給湯装置の全体構成を示す図である。
【図２】本発明の第１実施形態に係る給湯装置のタンクに取り付けられた中温水導出部材の断面図である。
【図３】図２中の矢印Ａ方向からガイドを見た矢視図である。
【図４】図２中の矢印Ｂ方向からガイドを見た矢視図である。
【図５】給湯装置のタンクに取り付けられた従来の中温水導出部材の断面図である。
【図６】図５に示した比較例における各部の温度特性を示した図である。
【図７】第１実施形態に係る給湯装置の各部の温度特性を示した図である。
【図８】本発明の第２実施形態に係る本給湯装置のタンクに取り付けられた中温水導出部材の断面図である。
【図９】図８中のIX−IX線に沿った断面図である。
【図１０】図８中の矢印Ｂ方向から中温水導出部材を見た図である。
【図１１】第２実施形態に係る給湯装置の各部の温度特性を示した図である。
【図１２】本発明の第３実施形態に係る本給湯装置のタンクに取り付けられた中温水導出部材の断面図である。
【図１３】図１２中の矢印Ａ方向から見た矢視図である。
【図１４】本発明の第４実施形態に係る本給湯装置のタンクに取り付けられた中温水導出部材の断面図である。
【発明を実施するための形態】
【００１３】
以下、本発明の実施形態について図面を参照して説明する。なお、以下の各実施形態において、先行する実施形態で説明した事項と同一もしくは均等である部分には、同一の参照符号を付し、その説明を省略する場合がある。また、各実施形態において、構成要素の一部だけを説明している場合、構成要素の他の部分に関しては、先行する実施形態において説明した構成要素を適用することができる。
【００１４】
（第１実施形態）
図１に、本発明の第１実施形態に係る給湯装置１０の全体構成を示す。図１に示す給湯装置１０は、一般家庭用として使用される貯湯式給湯装置である。給湯装置１０は、貯湯タンク１１内に貯えられた蓄熱用流体を熱源として、台所・洗面所・浴室などへの給湯機能の他に、浴槽５１への湯張りおよび湯張りされた浴水を追い焚きする機能を有するものである。本実施形態では、蓄熱用流体として給湯側と同じ給湯用水を用いている。
【００１５】
給湯装置１０は、貯湯タンクユニット２０と、その貯湯タンクユニット２０の作動を制御する給湯制御部３８と、貯湯タンクユニット２０の熱源として機能するヒートポンプユニット１３と、そのヒートポンプユニット１３の作動を制御する熱源制御部４０と、台所に設置されるメインリモコンとしての台所リモコン９０と、浴室に設置される風呂リモコン９２とを含んで構成されている。
【００１６】
貯湯タンクユニット２０は、貯湯タンク１１、沸上回路１２、熱負荷回路１４、給水用配管１５、および給湯配管２７を含んで構成され、貯湯タンク１１内に湯を貯えると共にその湯の供給等を行う給湯ユニットである。貯湯タンク１１は、蓄熱用流体を内部に貯える。貯湯タンク１１は、給湯用の湯を蓄える容器であり、耐食性に優れた金属製、例えば、ステンレス製からなり、その外周部に断熱材が設けられ、給湯用の高温水を長時間に渡って保温することができる。貯湯タンク１１は縦長形状であり、その底面に導入口１１ａが設けられている。
【００１７】
貯湯タンク１１には、貯湯タンク１１内部の貯湯量および貯湯温度を検出するために高さ方向に７個並んだサーミスタからなる水温サーミスタ１１ｂが設けられている。各水位における貯湯タンク１１内に満たされた湯もしくは水の温度情報は、給湯制御部３８へ出力される。したがって、給湯制御部３８は、水温サーミスタ１１ｂからの温度情報に基づいて、貯湯タンク１１内上方の沸き上げられた湯と貯湯タンク１１内下方の沸き上げられる前の水との境界位置を検出できるとともに、これにより貯湯量が検出できるようになっている。
【００１８】
貯湯タンク１１の底面の導入口１１ａには貯湯タンク１１内に市水を供給する市水流入配管２１が接続されている。市水流入配管２１とつながっている市水配管２２には、導入される水道水の水圧が所定圧となるように調節するとともに、断水などにおける湯の逆流を防止する減圧弁２３が設けられている。この市水配管２２は、給水用配管１５を経由して、後述する風呂混合弁２４および給湯混合弁２５につながっている。
【００１９】
ヒートポンプユニット１３は、貯湯タンクユニット２０が供給する湯を沸かすための熱源として機能する熱源ユニットである。すなわち、ヒートポンプユニット１３は、入口配管３６から流れてくる蓄熱用流体を加熱して、出口配管３７に排出する加熱部である。
【００２０】
ヒートポンプユニット１３は、冷媒として臨界温度の低い二酸化炭素を使用するヒートポンプサイクルを有している。したがって、ヒートポンプユニット１３は、図示は省略するが、少なくとも圧縮機、放熱器としての水−冷媒熱交換器、可変式減圧器、蒸発器および気液分離器を有し、それらの機器が閉回路を構成するように接続されている。また、蒸発器の下流側には、蒸発器下流側の温度を検出する蒸発器温度サーミスタが設けられている。熱源制御部４０は、蒸発器温度サーミスタから検出情報を受け取るとともに、可変式減圧器や圧縮機の運転を制御している。
【００２１】
ヒートポンプユニット１３は、水−冷媒熱交換器の冷媒流路を流れる高温高圧の冷媒と、水−冷媒熱交換器の水流路を流れる水との間で熱交換を行うことにより、温水を沸き上げることができる。また、ヒートポンプユニット１３は、電気式エジェクタを用いたエジェクタ式サイクルで構成してもよい。
【００２２】
ヒートポンプユニット１３のヒートポンプサイクルを超臨界ヒートポンプで構成した場合、一般的なヒートポンプサイクルよりも高温、例えば、８５℃〜９０℃程度の湯を貯湯タンク１１内に蓄えることができる。そのヒートポンプサイクルは、主に、貯湯タンク１１内に貯まっている温水が不足しているときや料金設定の安価な深夜時間帯の深夜電力を利用して貯湯タンク１１内の湯を沸き上げる沸上げ給湯運転を行う。
【００２３】
沸上回路１２は、貯湯タンク１１の下部から蓄熱用流体を取出してヒートポンプユニット１３で加熱し、再び蓄熱用流体を貯湯タンク１１の上部に戻すための回路である。沸上回路１２は、貯湯タンク１１の下部とヒートポンプユニット１３の入口配管３６とを接続する沸上用往き配管３１、およびヒートポンプユニット１３の出口配管３７と貯湯タンク１１の上部とを接続する沸上用戻り配管３２を有している。また、ヒートポンプユニット１３は沸上用循環ポンプ３３を有しており、その沸上用循環ポンプ３３は、貯湯タンク１１の下部の蓄熱用流体を沸上用往き配管３１からヒートポンプユニット１３の入口配管３６、出口配管３７および沸上用戻り配管３２を経由して貯湯タンク１１の上部に戻す方向に循環させる。
【００２４】
また沸上用戻り配管３２には、バイパス弁３４が設けられている。バイパス弁３４には、沸上用戻り配管３２と貯湯タンク１１の下部とを接続するバイパス配管３５が設けられている。バイパス弁３４は、沸上用戻り配管３２を通過して貯湯タンク１１の上部に向かう流量と、バイパス配管３５を通過して貯湯タンク１１の下部に流れる流量との流量比を調節する。
【００２５】
熱負荷回路１４は、貯湯タンクユニット２０から湯が供給される風呂の浴槽５１に溜まった湯を追い焚きするため、貯湯タンク１１内の蓄熱用流体と浴槽５１の湯とを熱交換するための回路である。熱負荷回路１４は、取出配管４１、風呂熱交換器４２、取入配管４３、風呂１次ポンプ４４、風呂１次サーミスタ４５および風呂１次逆止弁４６を有している。取出配管４１は、貯湯タンク１１の上部と沸上用戻り配管３２とに接続されている。風呂熱交換器４２は、取出配管４１を通過した蓄熱用流体を風呂側（熱負荷側）と熱交換する。具体的には、風呂熱交換器４２は、貯湯タンク１１内の蓄熱用流体が流通する第１流通部４２ａと浴槽水が流通する第２流通部４２ｂとを備え、その第１流通部４２ａおよび第２流通部４２ｂは互いに隣接するように構成されている。そして、風呂熱交換器４２は、蓄熱用流体と浴槽水とが対向流となるように構成され、両者間で熱交換が行われる。
【００２６】
取入配管４３は、風呂熱交換器４２を通過した蓄熱用流体を貯湯タンク１１に戻す。風呂１次ポンプ４４は、貯湯タンク１１の蓄熱用流体を取出配管４１から風呂熱交換器４２と取入配管４３とを経由して貯湯タンク１１に戻す方向に循環させる熱負荷用循環ポンプである。風呂１次サーミスタ４５は、取出配管４１を通過する蓄熱用流体の温度を検出する。風呂１次逆止弁４６は、取入配管４３から第１流通部４２ａへの蓄熱流体の流れを阻止するように取入配管４３に設けられ、貯湯タンク１１内の蓄熱流体が風呂熱交換器４２と取入配管４３とを経由して貯湯タンク１１に対流することを防止する為に設けられる。
【００２７】
貯湯タンク１１の上部には、貯湯タンク１１内の高温水部の温水が流出して給湯使用側端末まで流れる給湯配管２７が設けられている。給湯配管２７は、シャワー５４、カラン、手洗い栓などに連通しており、途中で分岐する配管は風呂用配管２８であり、風呂の浴槽５１内に連通する配管である。
【００２８】
またこの給湯配管２７の配管途中には、逃がし弁５２が配設された排出配管５３が接続され、貯湯タンク１１内の圧力が所定圧以上に上昇した場合には、貯湯タンク１１内の温水を外部に排出して、貯湯タンク１１等に損害を与えないように構成されている。
【００２９】
貯湯タンク１１の下部には、水道水などの市水を取り入れる市水配管２２から分岐した市水流入配管２１が接続されている。給湯配管２７には、市水配管２２と連通する給水用配管１５が接続されている。
【００３０】
貯湯タンク１１内のほぼ中間部である中温水部は、貯湯タンク１１内に蓄えられた給湯用の温水のうち、中温水を導出するための中温水配管２９と連絡されている。給湯配管２７と中温水配管２９の合流部には、中温水混合弁３０が設けられている。中温水混合弁３０は、給湯用水の湯温を調節する温度調節弁であり、それぞれの開口面積比を調節することで、給湯配管２７から取り出した高温水と中温水配管２９から取り出した中温水との混合比を調節することができる。また中温水配管２９には、中温水逆止弁１７が設けられている。中温水逆止弁１７は、貯湯タンク１１の上部にある高温水が中温水混合弁３０を経由して貯湯タンク１１の中温水部へ逆流しないように設けられている。また、中温水混合弁３０と給湯混合弁２５の間には、中温水サーミスタ３９が設けられている。
【００３１】
中温水混合弁３０よりも下流部位には、給湯配管２７と分岐した風呂用配管２８とが接続されている。そして中温水混合弁３０の下流側の給湯配管２７には、給湯混合弁２５が設けられ、風呂用配管２８には風呂混合弁２４が設けられている。給湯混合弁２５は、給湯配管２７と給水用配管１５との合流部に設けられている。風呂混合弁２４は、風呂用配管２８と給水用配管１５との合流部に設けられている。給湯混合弁２５および風呂混合弁２４はそれぞれ、給湯配管２７、風呂用配管２８の末端で出湯する給湯用水の湯温を調節する温度調節弁である。これらは、それぞれの開口面積比、つまり、中温水混合弁３０で温度調節された給湯用水側の開度と市水配管２２に連通する水側の開度との比率を調節することによって、出湯する湯温を設定温度に調節する。
【００３２】
給湯混合弁２５の下流側の給湯配管２７には、給湯サーミスタ６１、給湯用流量カウンタ６２および給湯用逆止弁６３が設けられている。給湯サーミスタ６１は、給湯配管２７に流れる温水の温度を検出する。給湯用流量カウンタ６２は、給湯配管２７に流れる温水の流量を検出する。給湯用逆止弁６３は、給湯配管２７の末端のシャワー５４から給湯混合弁２５に逆流させないために設けられる。
【００３３】
風呂混合弁２４の下流側の風呂用配管２８には、風呂に注湯するための風呂注湯ユニット７０が設けられている。風呂注湯ユニット７０は、風呂用電磁弁７１、逆流防止弁７２、風呂サーミスタ７３、風呂用流量カウンタ７４、および２つの風呂用逆止弁７５を有している。風呂サーミスタ７３は、風呂用配管２８に流れる温水の温度を検出する。風呂用流量カウンタ７４は、風呂用配管２８に流れる温水の流量を検出する。２つの風呂用逆止弁７５は、浴水循環回路８０内の浴水を風呂混合弁２４へ逆流させないために設けられている。
【００３４】
２つの風呂用逆止弁７５間には、排出経路上流端を接続するとともに風呂混合弁２４下流側に導圧管を接続した逆流防止弁７２が設けられている。逆流防止弁７２は、給湯配管２７側に浸入しようとする浴水がある場合には、両接続点の圧力差に応じて逆流防止弁７２を作動させて風呂注湯ユニット７０の外部に排出できるようになっている。
【００３５】
風呂用電磁弁７１は、浴槽５１に湯張り・差し湯・足し湯をするときに開弁される。風呂用電磁弁７１は、風呂用流量カウンタ７４により検出された流量情報に基づいて所定の流量の混合湯が出湯されるように制御される。
【００３６】
給湯混合弁２５および風呂混合弁２４は、それぞれの出口側に設けられた各サーミスタ６１、７３によって検出される給湯用水の湯温に基づいてフィードバック制御が行われている。また各流量カウンタ６２、７４がそれぞれ給湯配管２７、風呂用配管２８内の水の流れを検出したときは、それぞれの配管の末端にある給湯水栓、シャワー５４または風呂用電磁弁７１が開弁されて給湯用水を出湯している状態である。
【００３７】
浴槽５１には、浴槽５１内の浴水を循環するための浴水循環回路８０が接続している。浴水循環回路８０は、貯湯タンク１１内の高温の湯を循環する熱負荷回路１４との間で熱交換するための風呂熱交換器４２に浴水を循環する。浴水循環回路８０は、浴槽５１内の浴水を風呂熱交換器４２の上流端に導く風呂戻り配管８１と、風呂熱交換器４２で熱交換された浴水を浴槽５１内に導く風呂往き配管８６とから構成されている。
【００３８】
風呂戻り配管８１には、上流側から順に、風呂水位センサ８２、風呂循環センサ８３、風呂循環サーミスタ８５および風呂循環ポンプ８４が設けられている。また風呂往き配管８６には、風呂追焚きサーミスタ８７が設けられている。
【００３９】
風呂水位センサ８２は、水位を示す物理値として風呂戻り配管８１内の水圧を検出する圧力式の水位センサであり、風呂水位センサ８２からの検出信号を受け取る給湯制御部３８は、風呂水位センサ８２が検出した圧力を水位に換算する。
【００４０】
風呂循環センサ８３は、風呂戻り配管８１の風呂熱交換器４２側に方向に浴水が流通しているか否かを検出するためのセンサである。風呂追焚きサーミスタ８７は、浴槽５１の浴水温度を検出する。風呂循環ポンプ８４は、浴槽５１の浴水を風呂戻り配管８１から風呂熱交換器４２と風呂往き配管８６とを経由して浴槽５１に戻す方向に循環させるポンプである。風呂熱交サーミスタ８７は風呂熱交換器４２の出口温度を検出する。また風呂用配管２８は、その下流端が風呂循環ポンプ８４と風呂熱交換器４２との間の風呂戻り配管８１に繋がれている。
【００４１】
給湯制御部３８は、マイクロコンピュータを主体として構成され、その給湯制御部３８が内蔵するＲＯＭまたはＲＡＭには、予め設定された制御プログラムや更新可能な制御プログラムが備えられている。熱源制御部４０の構成もこれと同様である。また、給湯制御部３８と熱源制御部４０とは互いに通信可能に接続されており、相互に通信することにより１つの制御部として機能する。
【００４２】
また、給湯制御部３８は、各サーミスタからの温度情報、各流量カウンタおよび流水スイッチからの流量情報、その他のセンサからの検出情報、および台所リモコン９０や風呂リモコン９２などの操作スイッチからの操作信号等に基づいて、各混合弁、電磁弁、切替弁、風呂循環ポンプ８４などのアクチュエータ類を制御する。また、熱源制御部４０は、例えば給湯制御部３８からの信号に基づいて、ヒートポンプユニット１３を制御する。台所リモコン９０や風呂リモコン９２などの操作スイッチは、ヒートポンプユニット１３、沸上用循環ポンプ３３および風呂１次ポンプ４４を操作するために用いられる。
【００４３】
次に、給湯装置１０の動作に関して説明する。まず、ヒートポンプユニット１３を利用した貯湯タンク１１への湯の貯湯動作について説明する。
【００４４】
特定の沸上時間帯として例えば時間帯別電灯制度の夜間時間帯において、ヒートポンプユニット１３を運転させる。ヒートポンプユニット１３の運転により、貯湯タンク１１の下部の水を所定の沸上温度に沸き上げて貯湯タンク１１の上部に戻し、貯湯タンク１１の上部側から予め設定された湯量または貯湯タンク１１の全量分の湯を貯湯する。
【００４５】
次に、給湯動作について説明する。給湯配管２７の下流側に配設される給湯栓等を開くことにより、給水圧力により貯湯タンク１１内の湯が押し出される。そして、貯湯タンク１１からの湯と市水流入配管２１からの水とが各混合弁２４、２５、３０で混合されると共に各配管を通じて給湯される。
【００４６】
次に、浴槽５１の利用について説明する。浴槽５１に湯張りする場合、風呂用電磁弁７１を開くことにより、給水圧力により貯湯タンク１１内の湯が押し出され、給湯配管２７を通じて貯湯タンク１１からの湯と市水流入配管２１から給水される水とを風呂混合弁２４で混合して湯張り設定温度の湯とする。そしてこの湯を供給し、浴水循環回路８０を通じて浴槽５１に給湯する。そして、浴槽５１に湯張りした後は、所定時間毎に、風呂循環ポンプ８４を作動させて浴槽５１の浴槽水を浴水循環回路８０内に循環させ、風呂循環サーミスタ８５で浴槽水の温度を検知し、保温の必要つまり追い焚き動作の必要があるか監視する。
【００４７】
浴槽水の温度が設定温度よりも低下した際には自動的に追い焚き動作し、また、リモコンなどの手動操作によっても追い焚き動作する。追い焚き動作では、まず、風呂循環ポンプ８４を運転させ、浴槽水を浴水循環回路８０内に取り込んで風呂熱交換器４２に循環させる。その状態で、風呂１次ポンプ４４を運転させることにより、貯湯タンク１１内の湯を、取出配管４１を通じて取り出して風呂熱交換器４２に送り込む。そして風呂熱交換器４２で貯湯タンク１１からの湯と浴槽５１からの浴槽水とで熱交換させ、この熱交換により温度上昇した浴槽水を風呂熱交サーミスタ８７で一定温度以上となるように、風呂１次ポンプ４４の回転数を増加減し浴槽５１に戻し、浴槽５１内の湯温を上昇させる。なお、取出配管４１に取り出す湯は、取出配管４１から取り出す貯湯タンク１１の上部の湯とヒートポンプユニット１３から直接供給される湯との混合比率を調整して取り出す。さらに、風呂熱交換器４２を通過して温度低下した貯湯タンク１１からの湯は、取入配管４３を通じて貯湯タンク１１に戻す。
【００４８】
次に、各リモコン９０、９２に関して説明する。台所リモコン９０は、例えば台所に設置されて給湯制御部３８と電気的に通信可能に接続されている。すなわち、台所リモコン９０は、ヒートポンプユニット１３および貯湯タンクユニット２０を遠隔操作するための遠隔操作装置である。
【００４９】
次に、本実施形態に係る給湯装置１０の中温水導出部材１００について説明する。図２に、本給湯装置１０のタンク１１に取り付けられた中温水導出部材１００の断面図を示す。
【００５０】
タンク１１の中間部には円形状の中温水取出口１１ｃが形成されている。この中温水取出口１１ｃの周囲には、タンク１１の外側に突出するように中温水取出口金具１１ｄが形成されている。
【００５１】
中温水導出部材１００は、タンク１１内の中温水を中温水配管２９へ導出するのものであり、中温水取出口金具１１ｄに取り付けられている。本実施形態の中温水導出部材１００は、ＳＵＳ等の金属材料により構成されている。また、中温水導出部材１００の外周には、シール性を向上させるためのＯリング１００ａが装着されている。
【００５２】
中温水導出部材１００は、タンク１１の下側に貯えられた低温水の中温水配管２９への流入を防ぐガイド１１０を有している。このガイド１１０は、タンク１１内に突出するように取り付けられている。
【００５３】
図３に、図２中の矢印Ａ方向からガイド１１０を見た矢視図を示す。また、図４に、図２中の矢印Ｂ方向からガイド１１０を見た矢視図を示す。
【００５４】
図３、図４に示すように、ガイド１１０は、一部側面に開口部１１０ａが形成された有底円筒形状の中空部材により構成されている。本実施形態のガイド１１０は、ＳＵＳ等の金属材料により構成されている。
【００５５】
本実施形態に係るガイド１１０に形成された開口部１１０ａは溝形状をなしている。開口部１１０ａの長さをＬ、開口部１１０ａの幅をＷとすると、開口部面積はＬ×Ｗで表される。
【００５６】
開口部１１０ａの開口部面積は、中温水配管２９の断面積以上となっている。これにより、ガイド１１０による圧損の低下が防止される。
【００５７】
ガイド１１０は、開口部１１０ａが中温水を有効に取り出すことができる方向、すなわち、開口部１１０ａがタンク１１の上方向を向くように、中温水導出部材１００に取り付けられている。
【００５８】
比較例として、タンク１１に取り付けられた従来の中温水導出部材２００の断面図を図５に示す。従来の中温水導出部材２００は、本実施形態のようなガイド１１０を有していない。
【００５９】
図に示すように、タンク１１の内部に貯えられた中温水が中温水導出部材２００へ流入すると、タンクの下部に貯えられている低温水も中温水導出部材２００へ向かうようにタンク内の側壁に沿って上昇し、中温水と一緒に中温水導出部材へ流れ込んでしまう。このように、従来の中温水導出部材２００は、タンクの下部に貯えられている低温水が流入してしまい、中温水の温度が低下してしまう。
【００６０】
次に、図５に示した比較例と本実施形態に係る中温水導出部材１００を用いた場合の各部の温度特性の違いについて説明する。
【００６１】
図６に、図５に示した比較例における各部の温度特性を示す。また、図７に、本実施形態に係る中温水導出部材１００を用いた場合の各部の温度特性を示す。
【００６２】
図６に示されている熱電対Ｘは、図５に示された中温水導出部材２００の上部に取り付けられた熱電対Ｘの測定結果である。また、図６に示されている熱電対Ｙは、図５に示された中温水導出部材２００の下部に取り付けられた熱電対Ｙの測定結果である。また、中温水Ｔｈは、図１の中温水サーミスタ３９の測定結果であり、Ｔｈ１３０は、図１の７個並んだサーミスタからなる水温サーミスタ１１ｂのうち、上から３番目のＴｈ３の測定結果である。なお、図７中の熱電対Ｘは、図５と同様に、中温水導出部材２００の上部に取り付けられた熱電対の測定結果であり、図７中の熱電対Ｙは、図５と同様に、中温水導出部材２００の下部に取り付けられた熱電対の測定結果である。
【００６３】
図６、図７に示すように、タンク１１内の中温水が中温水導出部材２００を通って中温水配管２９へ流出すると、タンク１１内の中温水の温度は徐々に低下する。このため、図６に示されている熱電対Ｘ、熱電対Ｙ、中温水Ｔｈ、Ｔｈ１３０で検出された温度は低下している。なお、熱電対Ｘ、Ｙは、中温水配管２９の外側に取り付けられているため、熱電対Ｘ、Ｙの測定結果は、中温水配管２９の内側の中温水の温度よりも低くなっている。
【００６４】
ここで、図６では、熱電対Ｘの測定結果は熱電対Ｙの測定結果よりも最大で１８℃程度高くなっている。また、中温水Ｔｈの測定結果はＴｈ１３０の測定結果よりも最大で１０℃程度低くなっている。このように、中温水ＴｈとＴｈ１３０の測定結果に大きな温度差が生じているのは、中温水導出部材１００に、タンク１１の下側に貯えられた低温水の中温水配管２９への流入を防ぐガイド１１０が設けられておらず中温水導出部材２００に比較的多くの低温水が流入しているためと考えられる。これは、熱電対Ｙの測定結果が熱電対Ｘの測定結果よりも大きく下回っていることからも明らかである。
【００６５】
これに対し、図７では、熱電対Ｘと熱電対Ｙの温度差はほぼなくなっている。また、中温水ＴｈとＴｈ１３０の温度差は２℃程度に改善されている。このように、中温水ＴｈとＴｈ１３０の温度差が小さくなっているのは、本実施形態の中温水導出部材１００は、タンク１１の下側に貯えられた低温水の中温水配管２９への流入を防ぐガイド１１０を有しており、中温水導出部材１００への低温水の流入が防止されているためと考えられる。
【００６６】
上記した構成によれば、中温水導出部材１００は、タンク１１内に貯えられた低温水の中温水配管２９への流入を防止するガイド１１０を有しているので、タンク１１内の中温水を中温水配管２９へ導出する際に、低温水の混入を防止することができる。
【００６７】
また、ガイド１１０は、上向きに開口部１１０ａが形成されているので、タンク１１の下側に貯えられている低温水の中温水配管２９への流入を防止することができる。
【００６８】
また、開口部１１０ａの面積は、中温水配管２９の断面積以上となっているので、ガイド１１０を設けたことによる圧損の低下を防止することができる。
【００６９】
ところで、タンク１１に貯えられた湯水を沸き上げるヒートポンプユニット１３を備えた構成では、低温水が中温水配管２９へ混入すると、タンクの上部に貯えられている高温水を使用して中温水の温度を上昇させる必要が生じ、ヒートポンプユニット１３による湯水の沸き上げが頻繁に実施されるため、給湯効率（ＡＦＰ：Ａｎｎｕａｌ  Ｐｅｒｆｏｒｍａｎｃｅ  Ｆａｃｔｏｒ）が低下してしまう。
【００７０】
しかし、上記したような構成では、ガイド１１０により低温水の中温水配管２９への流入が防止されるので、ヒートポンプユニット１３による湯水の無駄な沸き上げを抑制することができる。なお、ヒートポンプユニット１３による湯水の無駄な沸き上げを抑制することにより、給湯効率を５％程度向上することが可能である。また、給湯効率が向上することで電気料金を節約することもできる。
【００７１】
（第２実施形態）
本発明の第２実施形態に係る本給湯装置１０のタンク１１に取り付けられた中温水導出部材１００の断面図を図８に示す。また、図８中のIX−IX線に沿った断面図を図９に示す。また、図８中の矢印Ｂ方向から中温水導出部材１００を見た図を図１０に示す。
【００７２】
上記第１実施形態に係る中温水導出部材１００は、溝形状の開口部１１０ａをガイド１１０に形成した構成となっているが、本実施形態に係る中温水導出部材１００のガイド１１０は、断面が半月形状となっている。ガイド１１０には、開口部１１０ｃが形成されている。
【００７３】
また、上記第１実施形態に係る中温水導出部材１００およびガイド１１０は、ぞれぞれＳＵＳ等の金属材料を用いて構成されているが、本実施形態に係る中温水導出部材１００およびガイド１１０は、樹脂（ＰＰＳまたはＰＰＥ）を用いて一体で形成されている。
【００７４】
作業者がタンク１１に形成された中温水取出口金具１１ｄへの中温水導出部材１００を取り付ける際に、中温水導出部材１００の取り付け向きが決められている。予め決められた向きに中温水導出部材１００が取り付けられると、ガイド１１０に形成された開口部１１０ｂが上向きとなるようになっている。
【００７５】
図１１に、本実施形態に係る給湯装置の各部の温度特性を示す。この図において、熱電対Ｘ、熱電対Ｙ、中温水ＴｈおよびＴｈ１３０は、第１実施形態と同じ部位の測定結果を示している。
【００７６】
ここで、図１１では、熱電対Ｘと熱電対Ｙの温度差は最大で２℃程度となっている。また、中温水ＴｈとＴｈ１３０の温度差は最大で６℃程度となっている。本実施形態のガイド１１０は、第１実施形態のガイド１１０と比較して開口部の面積が広くなっており、中温水導出部材２００に低温水が混入しやすくなっているためと考えられる。しかし、図５に示した比較例の場合と比較すると、中温水ＴｈとＴｈ１３０の温度差は改善されている。
【００７７】
上記した構成によれば、中温水導出部材１００は、タンク１１内に貯えられた低温水の中温水配管２９への流入を防止するガイド１１０を有しているので、上記第１実施形態と同様の効果を得ることができる。
【００７８】
また、中温水導出部材１００およびガイド１１０を一体で形成することにより、ガイド１１０に形成された開口部１１０ｂが所定の方向（例えば、上方向）を向くように中温水導出部材１００を取り付けることが可能となり、誤組み付けを防止することができる。
【００７９】
（第３実施形態）
本発明の第３実施形態に係る本給湯装置１０のタンク１１に取り付けられた中温水導出部材１００の断面図を図１２に示す。また、図１２中の矢印Ａ方向から見た矢視図を図１３に示す。
【００８０】
本実施形態に係る中温水導出部材１００は、ガイド１１０が別体となっており、タンク１１の内部に設けられている。また、本実施形態に係る中温水導出部材１００のガイド１１０は、断面がＵ字状となっている。また、ガイド１１０には、開口部１１０ｃが形成されている。
【００８１】
また、本実施形態に係る中温水導出部材１００およびガイド１１０は、それぞれ樹脂（ＰＰＳまたはＰＰＥ）を用いて構成されている。
【００８２】
本実施形態に係る中温水導出部材１００は、開口部１１０ｃが上向きとなるように、タンク１１内側に取り付けられるようになっている。
【００８３】
（第４実施形態）
本発明の第４実施形態に係る本給湯装置１０のタンク１１に取り付けられた中温水導出部材１００の断面図を図１４に示す。本実施形態に係る中温水導出部材１００およびガイド１１０は樹脂（ＰＰＳまたはＰＰＥ）を用いて一体で形成されている。
【００８４】
本実施形態に係る中温水導出部材１００のガイド１１０は、円筒をＬ字形に加工した形状となっている。ガイド１１０の先端に開口部１１０ｄが形成されており、この開口部１１０ｄが上方向を向くように中温水導出部材１００がタンク１１の中温水取出口金具１１ｄに取り付けられる。  
【００８５】
（他の実施形態）
上記第１〜第４実施形態では、ガイド１１０に形成された各開口部の向きが上方向を向くようになっているが、低温水の中温水導出部材１００への流入を防ぐように開口部の向きをモータ等で回転させるようにしてもよい。例えば、風呂熱交換器４２からの湯を貯湯タンク１１へ戻す取入配管４３の位置が中温水取出口１１ｃと同じ高さに設けられているような場合には、図１に示したように、風呂熱交換器４２からの湯を貯湯タンク１１へ戻す制御が行われる際に、風呂熱交換器４２からの湯を貯湯タンク１１へ戻す取入配管４３の方向を向くようにガイド１１０の開口部を回転させるようにしてもよい。
【００８６】
また、上記第１実施形態では、中温水導出部材１００およびガイド１１０をＳＵＳ等の金属材料により構成し、上記第２実施形態では、中温水導出部材１００およびガイド１１０を樹脂（ＰＰＳまたはＰＰＥ）を用いて形成するようにしたが、中温水導出部材１００およびガイド１１０の材質は上記実施形態に記載されたものに限定されるものではない。
【００８７】
また、上記第２、第４実施形態では、中温水導出部材１００およびガイド１１０を一体で形成するようにしたが、例えば、第１、第３実施形態においても、同様に中温水導出部材１００およびガイド１１０を一体で形成するようにしてもよい。また、上記第２、第４実施形態においても、中温水導出部材１００およびガイド１１０を別体で形成するようにしてもよい。
【００８８】
また、上記第１〜第４実施形態では、タンク１１に貯えられた湯水を沸き上げるヒートポンプユニット１３を備えた構成を示したが、このようなヒートポンプユニット１３を備えた構成としなくてもよい。
【符号の説明】
【００８９】
１０    給湯装置
１１    貯湯タンク
１１ｃ  中温水取出口
１１ｄ  中温水取出口金具
２９    中温水配管
１００  中温水導出部材
１１０  ガイド
１１０ａ〜１１０ｄ  開口部
１２０  中温水取出口金具
【図１】
2016080221.tif 000003
【図２】
2016080221.tif 000004
【図３】
2016080221.tif 000005
【図４】
2016080221.tif 000006
【図５】
2016080221.tif 000007
【図６】
2016080221.tif 000008
【図７】
2016080221.tif 000009
【図８】
2016080221.tif 000010
【図９】
2016080221.tif 000011
【図１０】
2016080221.tif 000012
【図１１】
2016080221.tif 000013
【図１２】
2016080221.tif 000014
【図１３】
2016080221.tif 000015
【図１４】
2016080221.tif 000016